(57)【要約】【課題】簡単な作業で手元ミラー６をカウンター部５に取付けることができるとともに、手元ミラー６の交換も容易な手元ミラーの取付け構造を提供する。【解決手段】洗面化粧台のカウンター部５の三面鏡部４下方に手元ミラー６を取付けるための構造であって、該手元ミラー６は、その上端部を嵌入する溝部２１を凹設した上フレーム２とその下端部を嵌装する溝部３１を凹設した下フレーム３とによって挟持するように支持されるとともに、上記上端部を嵌入する溝部２１および下端部を嵌装する溝部３１の少なくとも一方にはクッション材１が装着されている。【選択図】図１
2004105209.tif 000002
【特許請求の範囲】
【請求項１】
洗面化粧台のカウンター部の三面鏡部下方に手元ミラーを取付けるための構造であって、該手元ミラーは、その上端部を嵌入する溝部を凹設した上フレームとその下端部を嵌装する溝部を凹設した下フレームとによって挟持するように支持されるとともに、上記上端部を嵌入する溝部および下端部を嵌装する溝部の少なくとも一方にはクッション材が装着されていることを特徴とする手元ミラーの取付け構造。
【請求項２】
上記クッション材が上フレームに凹設された溝部の底部に設けられている請求項１に記載の手元ミラーの取付け構造。
【請求項３】
上記クッション材が下フレームに凹設された溝部の底部に設けられている請求項１に記載の手元ミラーの取付け構造。
【請求項４】
上記クッション材が上フレームに凹設された溝部の後面壁および下フレームに凹設された溝部の後面壁に設けられている請求項１に記載の手元ミラーの取付け構造。
【請求項５】
上記クッション材が弾性プラスチック材料からなる請求項１に記載の手元ミラーの取付け構造。
【発明の詳細な説明】
【０００１】
【発明の属する技術分野】
本発明は、鏡の取付け構造に関する。さらに詳しくは、洗面時等、手元を映すために洗面化粧台の三面鏡の下方で、カウンター部に設けられるものであって、手元を映すための横長の手元ミラーの取付け構造に関する。
【０００２】
【従来の技術】
従来から、顔や上半身を映すための鏡の取付け金具や、鏡の取付け方法として種々の技術が知られている。（例えば、特許文献１、特許文献２参照）
【０００３】
【特許文献１】
実開平４−１１５４７１号公報（第１−２頁、第１図、第２図）
【特許文献２】
特開平９−８４６７４号公報（第１−２頁、第１図、第２図）
【０００４】
しかしながら、上記文献は、顔や上半身を映すための鏡を壁面に取付けるためのものであり、洗面化粧台の手元ミラーの取付けに直ちに適用できるものではない。従来、洗面化粧台において、上記手元ミラーは、本願図３に示すように、左鏡４１、中央鏡４２、右鏡４３からなる三面鏡部４の下方で、カウンター部５の手元ミラー取付け部５１に設けられ、上フレーム２と下フレーム３とによって挟持するように取付けられている。
【０００５】
以下、図面を参照して、手元ミラーを三面鏡部の下方のカウンター部に取付けるための公知の構造について説明する。図４（ａ）は、手元ミラー６と、それを挟持するように支持する、アルミ製またはプラスチック製の上フレーム７と下フレーム３とを示す分解正面図である。図４（ｂ）はその側断面図である。図４（ａ）、（ｂ）からよくわかるように、上フレーム７と下フレーム３の各々長手方向には、手元ミラー６の上端部を嵌入するための溝部７１、下端部を嵌装するための溝部３１が凹設されている。また、上フレーム７のカウンター部５への取付け部には長円形のビス孔７２が、下フレーム３のカウンター部５への取付け部にはビス孔３２が穿設されている。
【０００６】
つぎに、上記公知の構造を用いて、手元ミラー６のカウンター部５における手元ミラー取付け部５１への取付けについて、側断面図を用いて説明する。図５（ａ）は、下フレーム３を手元ミラー取付け部５１にビス３３で固定し、溝部３１に手元ミラー６の下端部を嵌装するとともに、手元ミラー６の上端部を上フレーム７の溝部７１に嵌入しようとする状態を示す側断面図である。このとき、下フレーム３を固定するビス３３は、強く捻じ込んで下フレーム３を、手元ミラー取付け部５１にしっかりと固定するが、上フレーム７を固定するビス７３は、上フレーム７が長円形のビス孔７２に沿って下方に下げられる程度に、やや緩めに捻じ込んで、上フレーム７を手元ミラー取付け部５１に固定する。ついで、上フレーム７を徐々に押し下げ、スライド移動させて、その溝部７１に手元ミラー６の上端部を嵌入する。このようにして、手元ミラー６を三面鏡部４の下方の手元ミラー取付け部５１に取付けたときの側断面図を図５（ｂ）に示す。
【０００７】
このように、手元ミラー６をカウンター部５に取付ける従来構造は、上記したように、上フレーム７を固定するビス７３を、上フレーム７が下方にスライド移動できる程度に、かつ、手元ミラーの上端部を嵌入してしっかりと支持できる程度に締め付ける必要があり、この作業には、ある程度の熟練を要する。また、手元ミラー６を、破損等により交換をする必要が生じた場合、三面鏡部４を除いてから上フレーム７を上方にスライド移動して手元ミラー６を取出さなければならず、取替え作業に手間がかかるという問題点もある。
【０００８】
【発明が解決しようとする課題】
そこで、本発明は、上記課題を解決して、簡単な作業で手元ミラー６をカウンター部５に取付けることができるとともに、手元ミラー６の交換を容易に行なうことができる手元ミラーの取付け構造を提供することをその課題とする。
【０００９】
【課題を解決するための手段】
本発明は、上記課題を解決するために考え出されたものであって、つぎのような技術的手段を講じている。すなわち、本発明によれば、洗面化粧台のカウンター部の三面鏡部下方に手元ミラーを取付けるための構造であって、該手元ミラーは、その上端部を嵌入する溝部を凹設した上フレームとその下端部を嵌装する溝部を凹設した下フレームとによって挟持するように支持されるとともに、上記上端部を嵌入する溝部および下端部を嵌装する溝部の少なくとも一方にはクッション材が装着されていることを特徴とする手元ミラーの取付け構造を提供することができる。このようにすることによって、簡単な作業で手元ミラーをカウンター部に取付けることができるとともに、手元ミラーの交換を容易に行なうことができる。
【００１０】
上記クッション材は、上フレームに凹設された溝部の底部に設けられる。このとき、上記クッション材は、通常、溝部の底部に接着剤により、貼設されることが好ましい。このようにすることによって、上記溝部２１の底部に貼設されたクッション材がその弾性力で手元ミラーの上端部を押え、上フレームと下フレームとで手元ミラーを挟持するようにしっかりと支持することができる。また、クッション材が衝撃を吸収するため、振動等により、手元ミラーが上フレームや下フレームと接触して、当り音等を発生することを防ぐ。
【００１１】
上記クッション材は、下フレームに凹設された溝部の底部に設けられる。このようにすることによって、上記溝部の底部に貼設されたクッション材がその弾性力で手元ミラーの下端部を押し上げ、上フレームと下フレームとで手元ミラーを挟持するようにしっかりと支持する。また、クッション材が衝撃を吸収するため、振動等により、手元ミラーが上フレームや下フレームと接触して、当り音等を発生することを防ぐ。
【００１２】
上記クッション材は、上フレームに凹設された溝部の後面壁および下フレームに凹設された溝部の後面壁に設けられる。このようにすることによって、上フレームと下フレームとで手元ミラーを挟持するようにしっかりと支持するとともに、手元ミラーに正面から衝撃が加えられても背面のクッション材が衝撃を吸収し、割れにくくなるという効果が得られる。
【００１３】
上記クッション材は、弾性プラスチック材料からなることが好ましい。このようにすることによって、各種のプラスチック材料から適度なクッション性を有し、耐水性に優れた材料を選択することができる。
【００１４】
【発明の実施の形態】
以下、本発明の好ましい実施の形態について、図面を参照してさらに詳細に説明する。図１（ａ）は、手元ミラー６の上端部を嵌入する溝部２１を凹設された上フレーム２と、手元ミラー６の下端部を嵌装する溝部３１を凹設された下フレーム３とが、カウンター部５の手元ミラー取付け部５１にビス２３、ビス３３によって固定された状態を示す側断面図である。このとき、上フレーム２に凹設された溝部２１の底部（上面）には、長手方向全長に亘って、クッション材１が貼設されている。つぎに、図１（ｂ）に示すように、手元ミラー６の上端部でクッション材１を圧縮するように押し上げ、さらに、手元ミラー６の下端部を下フレーム３に凹設された溝部３１の上に移動させ、その位置で手元ミラー６の下端部を溝部３１に落とし込む。このようにして、手元ミラー６を上フレーム２と下フレーム３とで挟持するように支持してカウンター部５の手元ミラー取付け部５１に取付けた状態を図１（ｃ）に示す。
【００１５】
図１（ｃ）からよくわかるように、手元ミラー６を溝部３１に嵌装した後は、溝部２１の底板（上面）に貼設されたクッション材１が弾性的に復帰し、手元ミラー６の上端部を押え、かくして、上フレーム２と下フレーム３とが手元ミラー６を挟持するようにしっかりと支持する。また、クッション材１が衝撃を吸収するため、振動等により、手元ミラー６が上フレーム２や下フレーム３と接触して、当り音等を発生することを防ぐ。
【００１６】
図１（ａ）、（ｂ）、（ｃ）には、上フレーム２に凹設された溝部２１の底部（上面）の長手方向全長に亘って、クッション材１を貼設した形態が示されているが、クッション材１を下フレーム３に凹設された溝部３１の底部の長手方向全長に亘って、貼設した形態としてもよい。また、クッション材１の厚み、クッション性等は、取付ける手元ミラー６の重さ、形状等に合わせて適宜選択することができる。さらに、溝部２１の底板（上面）に加えて、溝部３１の底板にもクッション材１を貼設してもよい。このとき、例えば、溝部２１の底部（上面）には、クッション性のよいクッション材１を厚めに貼設し、溝部３１の底部には硬めのクッション材１を薄く貼設すれば、さらに好ましく、このように、本実施形態以外にも種々に設計変更可能である。
【００１７】
つぎに、本発明の他の好ましい実施の形態について、図面を参照して説明する。図２（ａ）は、手元ミラー６の上端部を嵌入する溝部２１を凹設された上フレーム２と、手元ミラー６の下端部を嵌装する溝部３１を凹設された下フレーム３とが、カウンター部５の手元ミラー取付け部５１にビス２３、ビス３３によって固定された状態を示す側断面図である。このとき、上記溝部２１の後面壁であって手元ミラー６の上端部の裏面への当接部と、上記溝部３１の後面壁であって手元ミラー６の下端部の裏面への当接部には、それぞれ、その長手方向全長に亘って、クッション材１が貼設されている。つぎに、図２（ｂ）に示すように、手元ミラー６の上端部裏面で溝部２１の後面壁に貼設されたクッション材１を圧縮するように押し込む。さらに、手元ミラー６の下端部裏面で、溝部３１の後面壁に貼設されたクッション材１を圧縮するように押し込み、最後に手元ミラー６の下端部を溝部３１に落とし込んで、手元ミラー６を下フレーム３に嵌装する。このようにして、手元ミラー６の上下端部を上フレーム２と下フレーム３とで挟持するように支持してカウンター部５の手元ミラー取付け部５１に取付けた状態を図２（ｃ）に示す。
【００１８】
図２（ｃ）からよくわかるように、手元ミラー６の下端部を溝部３１に嵌装した後は、溝部２１および溝部３１のそれぞれの後面壁に貼設されたクッション材１が、手元ミラー６の上端部および下端部を背面から弾性的に押えるよう作用する。その結果、上フレーム２と下フレーム３とで手元ミラー６を挟持するようにしっかりと支持するとともに、手元ミラー６に正面から衝撃が加えられても背面のクッション材１が衝撃を吸収するため、割れにくくなるという効果が得られる。さらに、本実施形態と、既述の実施形態とを結合し、例えば、溝部２１の後面壁にクッション材１を貼設し、溝部３１の底部にクッション材１を貼設する形態としてもよい。あるいは、溝部２１の底板（上面）および後面壁、溝部３１の底部および後面壁にクッション材１を貼設する形態としてもよい。このように、溝部２１および溝部３１にクッション材を装着する形態は種々に設計変更可能である。
【００１９】
【発明の効果】
以上述べたように、請求項１に記載の発明は、洗面化粧台のカウンター部５の三面鏡部４下方に手元ミラー６を取付けるための構造であって、該手元ミラー６は、その上端部を嵌入する溝部２１を凹設した上フレーム２とその下端部を嵌装する溝部３１を凹設した下フレーム３とによって挟持するように支持されるとともに、上記上端部を嵌入する溝部２１および下端部を嵌装する溝部３１の少なくとも一方にはクッション材１が装着されていることを特徴とする手元ミラーの取付け構造である。このようにすることによって、簡単な施工作業で手元ミラー６をカウンター部５に取付けることができるとともに、手元ミラー６の交換作業を容易に行なうことができる。
【００２０】
請求項２に記載の発明は、上記クッション材１は、上フレーム２に凹設された溝部２１の底部に設けられる。このようにすることによって、請求項１に記載の発明の効果に加えて、上記溝部２１の底部に貼設されたクッション材１がその弾性力で手元ミラー６の上端部を押え、上フレーム２と下フレーム３とで手元ミラー６を挟持するようにしっかりと支持する。また、クッション材１が衝撃を吸収するため、振動等により、手元ミラー６が上フレーム２や下フレーム３と接触して、当り音等を発生することを防ぐ。
【００２１】
請求項３に記載の発明は、上記クッション材１が下フレーム３に凹設された溝部３１の底部に設けられる。このようにすることによって、請求項１に記載の発明の効果に加えて、上記溝部３１の底部に貼設されたクッション材１がその弾性力で手元ミラー６の下端部を押し上げ、上フレーム２と下フレーム３とで手元ミラー６を挟持するようにしっかりと支持する。また、クッション材１が衝撃を吸収するため、振動等により、手元ミラー６が上フレーム２や下フレーム３と接触して、当り音等を発生することを防ぐ。
【００２２】
請求項４に記載の発明は、上記クッション材１が上フレーム２に凹設された溝部２１の後面壁および下フレーム３に凹設された溝部３１の後面壁に設けられる。このようにすることによって、請求項１に記載の発明の効果に加えて、上フレーム２と下フレーム３とで手元ミラー６を挟持するようにしっかりと支持するとともに、手元ミラー６に正面から衝撃が加えられても背面のクッション材１が衝撃を吸収し、割れにくくなるという効果が得られる。
【００２３】
請求項５に記載の発明は、上記クッション材１は弾性プラスチック材料からなることが好ましい。このようにすることによって、請求項１に記載の発明の効果に加えて、各種のプラスチック材料から適度なクッション性を有し、耐水性に優れた材料を選択することができる。
【図面の簡単な説明】
【図１】（ａ）本発明にかかる手元ミラーの取付け構造を、カウンター部に固定した状態を示す側断面図である。
（ｂ）上記取付け構造に手元ミラーを挟持するように嵌装する状態を示す側断面図である。
（ｃ）手元ミラーが本発明の取付け構造によって挟持するように支持された状態を示す側断面図である。
【図２】（ａ）本発明の他の実施形態にかかる手元ミラーの取付け構造を、カウンター部に固定した状態を示す側断面図である。
（ｂ）上記取付け構造に手元ミラーを挟持するように嵌装する状態を示す側断面図である。
（ｃ）手元ミラーが本発明の他の実施形態の取付け構造によって挟持するように支持された状態を示す側断面図である。
【図３】公知の洗面化粧台を示す斜視図である。
【図４】（ａ）公知の手元ミラー取付け構造を示す分解正面図である。
（ｂ）公知の手元ミラー取付け構造を示す側断面図である。
【図５】（ａ）公知の構造を用いて、下フレームの溝部に手元ミラーの下端部を嵌装した状態を示す側断面図である。
（ｂ）公知の構造を用いて、手元ミラーが挟持するように支持された状態を示す側断面図である。
【符号の説明】
１　　　クッション材
２　　　上フレーム
２１　　上フレームに凹設された溝部
２３　　ビス
３　　　下フレーム
３１　　下フレームに凹設された溝部
３２　　下フレーム用ビス孔
３３　　ビス
４　　　三面鏡部
４１　　左鏡
４２　　中央鏡
４２　　右鏡
５　　　カウンター部
５１　　手元ミラー取付け部
６　　　手元ミラー
７　　　公知の手元ミラー取付け構造における上フレーム
７１　　上記上フレームに凹設された溝部
７２　　上記上フレームのカウンター部取付け部に穿設された長円形のビス孔
７３　　ビス
【図１】
2004105209.tif 000003
【図２】
2004105209.tif 000004
【図３】
2004105209.tif 000005
【図４】
2004105209.tif 000006
【図５】
2004105209.tif 000007